(57)【要約】【課題】簡易な処理で、出力映像における輝度の急激な変化を抑制する映像処理装置、映像出力システム、映像処理方法、および映像処理プログラムを提供する。【解決手段】フレーム分割部１１が、映像フレームをフィールド単位に分割する。補間フィールド生成部１５が、フレーム分割部１１によって分割された一のフィールドの輝度が、一のフィールドの直前の映像フレームのフィールドである直前のフィールドの輝度よりも所定の閾値以上大きな値であった場合に、一のフィールドの直前のフィールドおよび一のフィールドの直後の映像フレームのフィールドである直後のフィールドに基づいて、一のフィールドに代えて用いられる補間フィールドを生成する。合成部１７が、直前のフィールドと、補間フィールド生成部１５が生成した補間フィールドと、直後のフィールドとを出力する。【選択図】      図７
2016171519.tif 000002
【特許請求の範囲】
【請求項１】
映像フレームをフィールド単位に分割するフレーム分割手段と、
前記フレーム分割手段によって分割された一のフィールドの輝度が、前記一のフィールドの直前の映像フレームのフィールドである直前のフィールドの輝度よりも所定の閾値以上大きな値であった場合に、前記一のフィールドの前記直前のフィールドおよび前記一のフィールドの直後の映像フレームのフィールドである直後のフィールドに基づいて、前記一のフィールドに代えて用いられる補間フィールドを生成する補間フィールド生成手段と、
前記直前のフィールドと、前記補間フィールド生成手段が生成した前記補間フィールドと、前記直後のフィールドとを出力する合成手段とを備えた
ことを特徴とする映像処理装置。
【請求項２】
前記補正フィールド生成手段は、前記一のフィールドの一部または全部の輝度の平均値が、前記一のフィールドの直前のフィールドにおいて対応する輝度の平均値よりも所定の閾値以上大きな値であった場合に、前記一のフィールドの前記直前のフィールドおよび前記一のフィールドの直後のフィールドに基づいて、前記一のフィールドに代えて用いられる補間フィールドを生成する
請求項１記載の映像処理装置。
【請求項３】
前記補正フィールド生成手段は、前記直前のフィールドの成分と前記直後のフィールドの成分との平均値によって、前記補間フィールドを生成する
請求項１または請求項２に記載の映像処理装置。
【請求項４】
前記補正フィールド生成手段は、前記直前のフィールドの成分と前記直後のフィールドの成分との平均値を各行ごとに算出し、算出した各行の平均値を各行の成分とする前記補間フィールドを生成する
請求項３に記載の映像処理装置。
【請求項５】
前記フレーム分割手段は、前記映像フレームをトップフィールドとボトムフィールドとに分割し、
前記フィールドは、前記トップフィールドまたは前記ボトムフィールドである
請求項１から請求項４のうちいずれかに記載の映像処理装置。
【請求項６】
請求項１から請求項５のうちいずれかに記載の映像処理装置と、
入力された、符号化された映像信号を復号して前記映像処理装置に送信する復号装置とを備えた
ことを特徴とする映像出力システム。
【請求項７】
映像フレームをフィールド単位に分割するフレーム分割ステップと、
前記フレーム分割ステップで分割された一のフィールドの輝度が、前記一のフィールドの直前の映像フレームのフィールドである直前のフィールドの輝度よりも所定の閾値以上大きな値であった場合に、前記一のフィールドの前記直前のフィールドおよび前記一のフィールドの直後の映像フレームのフィールドである直後のフィールドに基づいて、前記一のフィールドに代えて用いられる補間フィールドを生成する補間フィールド生成ステップと、
前記直前のフィールドと、前記補間フィールド生成ステップで生成した前記補間フィールドと、前記直後のフィールドとを出力する合成ステップとを含む
ことを特徴とする映像処理方法。
【請求項８】
コンピュータに、
映像フレームをフィールド単位に分割するフレーム分割処理と、
前記フレーム分割処理で分割された一のフィールドの輝度が、前記一のフィールドの直前の映像フレームのフィールドである直前のフィールドの輝度よりも所定の閾値以上大きな値であった場合に、前記一のフィールドの前記直前のフィールドおよび前記一のフィールドの直後の映像フレームのフィールドである直後のフィールドに基づいて、前記一のフィールドに代えて用いられる補間フィールドを生成する補間フィールド生成処理と、
前記直前のフィールドと、前記補間フィールド生成ステップで生成した前記補間フィールドと、前記直後のフィールドとを出力する合成処理とを実行させる
ための映像処理プログラム。
【発明の詳細な説明】
【技術分野】
【０００１】
本発明は、映像を処理する映像処理装置、映像出力システム、映像処理方法、および映像処理プログラムに関する。
【背景技術】
【０００２】
テレビジョン放送の受像機等に、ストロボライトによる閃光が表示される場合がある。そのような場合に、当該受像機の表示部の輝度が急激に変化するので、視聴者に不快感を与える場合がある。
【０００３】
特許文献１には、輝度が急激に変化するフレームを、その前後のフレームに基づいて補正する装置が記載されている。
【先行技術文献】
【特許文献】
【０００４】
【特許文献１】特開２００８−１２４９５６号公報
【発明の概要】
【発明が解決しようとする課題】
【０００５】
特許文献１に記載されている装置は、動きベクトル検出し、検出結果を利用してフレームの補正を行う。しかし、動きベクトルの検出には複雑かつ多大な計算処理が必要になり、そのような処理を実行するための高性能なプロセッサが必要とされる。したがって、特許文献１に記載されている装置には、高価になってしまうという問題がある。
【０００６】
そこで、本発明は、簡易な処理で、出力映像における輝度の急激な変化を抑制する映像処理装置、映像出力システム、映像処理方法、および映像処理プログラムを提供することを目的とする。
【課題を解決するための手段】
【０００７】
本発明による映像処理装置は、映像フレームをフィールド単位に分割するフレーム分割手段と、フレーム分割手段によって分割された一のフィールドの輝度が、一のフィールドの直前の映像フレームのフィールドである直前のフィールドの輝度よりも所定の閾値以上大きな値であった場合に、一のフィールドの直前のフィールドおよび一のフィールドの直後の映像フレームのフィールドである直後のフィールドに基づいて、一のフィールドに代えて用いられる補間フィールドを生成する補間フィールド生成手段と、直前のフィールドと、補間フィールド生成手段が生成した補間フィールドと、直後のフィールドとを出力する合成手段とを備えたことを特徴とする。
【０００８】
本発明による映像出力システムは、いずれかの態様の映像処理装置と、入力された、符号化された映像信号を復号して映像処理装置に送信する復号装置とを備えたことを特徴とする。
【０００９】
本発明による映像処理方法は、映像フレームをフィールド単位に分割するフレーム分割ステップと、フレーム分割ステップで分割された一のフィールドの輝度が、一のフィールドの直前の映像フレームのフィールドである直前のフィールドの輝度よりも所定の閾値以上大きな値であった場合に、一のフィールドの直前のフィールドおよび一のフィールドの直後の映像フレームのフィールドである直後のフィールドに基づいて、一のフィールドに代えて用いられる補間フィールドを生成する補間フィールド生成ステップと、直前のフィールドと、補間フィールド生成ステップで生成した補間フィールドと、直後のフィールドとを出力する合成ステップとを含むことを特徴とする。
【００１０】
本発明による映像処理プログラムは、コンピュータに、映像フレームをフィールド単位に分割するフレーム分割処理と、フレーム分割処理で分割された一のフィールドの輝度が、一のフィールドの直前の映像フレームのフィールドである直前のフィールドの輝度よりも所定の閾値以上大きな値であった場合に、一のフィールドの直前のフィールドおよび一のフィールドの直後の映像フレームのフィールドである直後のフィールドに基づいて、一のフィールドに代えて用いられる補間フィールドを生成する補間フィールド生成処理と、直前のフィールドと、補間フィールド生成ステップで生成した補間フィールドと、直後のフィールドとを出力する合成処理とを実行させることを特徴とする。
【発明の効果】
【００１１】
本発明によれば、簡易な処理で、出力映像における輝度の急激な変化を抑制することができる。
【図面の簡単な説明】
【００１２】
【図１】本発明の第１の実施形態の映像処理装置の構成例を示すブロック図である。
【図２】映像フレームの例を示す説明図である。
【図３】本発明の第１の実施形態の映像処理装置における第１の補間フィールド生成部の動作を説明するフローチャートである。
【図４】補間フィールドの生成の例を示す説明図である。
【図５】補間フィールドの構成例を示す説明図である。
【図６】合成部の動作を示すフローチャートである。
【図７】本発明の第２の実施形態の映像処理装置の構成例を示すブロック図である。
【発明を実施するための形態】
【００１３】
実施形態１．
本発明の第１の実施形態の映像処理装置１００について、図面を参照して説明する。図１は、本発明の第１の実施形態の映像処理装置１００の構成例を示すブロック図である。図１に示すように、本発明の第１の実施形態の映像処理装置１００は、受信部２００を含む映像出力装置５００に搭載されている。映像出力装置５００には、例えば、映像処理装置１００が出力した映像信号を変換した映像を出力する表示手段（図示せず）が備えられている。
【００１４】
そして、映像出力装置５００の受信部２００には、映像信号復号装置６００に入力された圧縮符号化映像信号が復号された非圧縮映像信号が送信される。受信部２００は、送信された非圧縮映像信号を受信して映像処理装置１００に入力する。なお、圧縮符号化映像信号は、映像信号復号装置６００における復号部３００に入力されて復号され、復号後の非圧縮映像信号が、送信部４００によって送信される。なお、映像処理装置１００（映像出力装置５００であってもよい）と映像信号復号装置６００とによって映像出力システムが構成される。
【００１５】
なお、映像処理装置１００は、例えば、プログラム制御に従って処理を実行するコンピュータによって実現される。
【００１６】
図１に示すように、本発明の第１の実施形態の映像処理装置１００は、フレーム分割部１１０、フラッシュ検出部１２０、第１のバッファ１３０、第２のバッファ１４０、第１の補間フィールド生成部１５０、第２の補間フィールド生成部１６０、および合成部１７０を含む。
【００１７】
フレーム分割部１１０には、受信部２００によって、受信された非圧縮映像信号が入力される。フレーム分割部１１０は、受信部２００によって入力された非圧縮映像信号にもとづく映像フレームを、トップフィールドを含む情報であるトップフィールド情報とボトムフィールドを含む情報であるボトムフィールド情報とに分割する。そして、フレーム分割部１１０は、トップフィールド情報とボトムフィールド情報とをフラッシュ検出部１２０に入力する。なお、トップフィールドとボトムフィールドとをフィールドと総称することがあり、トップフィールド情報とボトムフィールド情報とを、フィールド情報と総称することがある。
【００１８】
図２は、映像フレームの例を示す説明図である。図２に示す例では、時刻に応じて変化する映像の映像フレーム１〜８が、トップフィールド１ｔ〜８ｔとボトムフィールド１ｂ〜８ｂとによってそれぞれ構成されていることが示されている。
【００１９】
そして、図２に示す例では、映像フレーム５のトップフィールド５ｔに、閃光が写りこんでいることが示されている。
【００２０】
フラッシュ検出部１２０は、フレーム分割部１２０によって入力されたフィールド情報に基づいて、各フィールドに閃光が写りこんでいるか否かを判定する。そして、フラッシュ検出部１２０は、閃光が写りこんでいると判定したフィールドのフィールド情報において、閃光が写りこんでいるか否かを示すフラッシュフラグの値に１をセットする。フラッシュ検出部１２０は、第１のバッファ１３０にトップフィールド情報を入力し、第２のバッファ１４０にボトムフィールド情報を入力する。
【００２１】
なお、フラッシュ検出部１２０は、例えば、一のフィールドの一部の画素の輝度値、全部の画素の輝度値、または一部もしくは全部の画素の輝度値の平均値が、時間軸において前のフィールドにおいて対応するそれらの値よりも所定の閾値以上大きな値であった場合に、当該一のフィールドに閃光が写りこんでいたと判定する。
【００２２】
第１のバッファ１３０には、入力されたトップフィールド情報が記憶される。第２のバッファ１４０には、入力されたボトムフィールド情報が記憶される。
【００２３】
第１の補間フィールド生成部１５０は、第１のバッファ１３０に記憶されている一のトップフィールド情報においてフラッシュフラグの値に１がセットされている場合に、当該一のトップフィールド情報の前後に第１のバッファ１３０に記憶されたトップフィールド情報に基づいて、補間フィールドを生成する。そして、第１の補間フィールド生成部１５０は、生成した補間フィールドを合成部１７０に入力する。なお、第１の補間フィールド生成部１５０は、少なくとも２つのフィールド情報を記憶可能な記憶部１５１を含む。
【００２４】
第２の補間フィールド生成部１６０は、第２のバッファ１４０に記憶されている一のボトムフィールド情報においてフラッシュフラグの値に１がセットされている場合に、当該一のボトムフィールド情報の前後に第２のバッファ１４０に記憶されたボトムフィールド情報に基づいて、補間フィールドを生成する。そして、第２の補間フィールド生成部１６０は、生成した補間フィールドを合成部１７０に入力する。なお、第２の補間フィールド生成部１６０は、少なくとも２つのフィールド情報を記憶可能な記憶部１６１を含む。
【００２５】
合成部１７０は、第１のバッファ１３０および第２のバッファ１４０からフィールド情報を読み出す。そして、合成部１７０は、第１のバッファ１３０および第２のバッファ１４０から読み出したフィールド情報と、第１の補間フィールド生成部１５０および第２の補間フィールド生成部１６０が入力した補間フィールドとを適宜出力する。なお、合成部１７０は、フィールド情報を記憶可能な記憶部１７１を含む。
【００２６】
次に、本発明の第１の実施形態の映像処理装置１００の動作について説明する。図３は、本発明の第１の実施形態の映像処理装置１００における第１の補間フィールド生成部１５０の動作を説明するフローチャートである。
【００２７】
第１の補間フィールド生成部１５０は、記憶部１５１にトップフィールド情報が記憶されていない場合に（ステップＳ１０１のＮ）、第１のバッファ１３０からトップフィールド情報を読み出す（ステップＳ１０２）。そして、第１の補間フィールド生成部１５０は、ステップＳ１０２の処理で読み出したトップフィールド情報を記憶部１５１に記憶させる。
【００２８】
第１の補間フィールド生成部１５０は、後続するフレームがある場合に（ステップＳ１０３のＹ）、ステップＳ１０１の処理に移行し、そうでない場合に（ステップＳ１０３のＮ）、処理を終了する。
【００２９】
第１の補間フィールド生成部１５０は、ステップＳ１０１の処理で、記憶部１５１にトップフィールド情報が記憶されている場合に（ステップＳ１０１のＹ）、当該トップフィールド情報に後続し、第１のバッファ１３０に記憶されているトップフィールド情報からフラッシュフラグの値を読み出して（ステップＳ１０４）、フラッシュフラグの値に１がセットされているか否かを確認する（ステップＳ１０５）。
【００３０】
第１の補間フィールド生成部１５０は、第１のバッファ１３０に記憶されているトップフィールド情報のフラッシュフラグの値が０等であり、１でない場合に（ステップＳ１０５のＮ）、当該トップフィールド情報を記憶部１５１から消去する（ステップＳ１０６）。
【００３１】
そして、第１の補間フィールド生成部１５０は、ステップＳ１０２の処理に移行し、第１のバッファ１３０からトップフィールド情報を読み出し（ステップＳ１０２）、記憶部１５１に記憶させる。
【００３２】
第１の補間フィールド生成部１５０は、第１のバッファ１３０に記憶されているトップフィールド情報のフラッシュフラグの値が１である場合に（ステップＳ１０５のＹ）、第１のバッファ１３０からトップフィールド情報を読み出して記憶部１５１に記憶させてから、消去する（ステップＳ１０７，Ｓ１０８）。なぜなら、フラッシュフラグの値が１であるトップフィールド情報のフィールドには閃光が写りこんでおり、第１の補間フィールド生成部１５０は、そのようなフィールドのトップフィールド情報を補間フィールドの生成に用いないからである。なお、第１の補間フィールド生成部１５０は、記憶部１５１に記憶されているトップフィールド情報のフラッシュフラグの値が１である場合に（ステップＳ１０５のＹ）、第１のバッファ１３０からトップフィールド情報を読み出さないように構成されていてもよい。
【００３３】
本例では、トップフィールド５ｔに閃光が写りこんでいるので、トップフィールド５ｔのフィールド情報のフラッシュフラグの値には１がセットされている。したがって、トップフィールド５ｔのフィールド情報は、ステップＳ１０８の処理で消去される。
【００３４】
第１の補間フィールド生成部１５０は、第１のバッファ１３０から、ステップＳ１０８の処理で消去したトップフィールド情報の次のトップフィールドのトップフィールド情報を読み出し（ステップＳ１０９）、記憶部１５１に記憶させる。すると、記憶部１５１には、フラッシュフラグの値が１であるトップフィールド情報のトップフィールドの前後のフィールドのトップフィールド情報がそれぞれ記憶されていることになる。
【００３５】
本例では、トップフィールド５ｔに閃光が写りこんでいるので、トップフィールド４ｔのフィールド情報、およびトップフィールド６ｔのフィールド情報が記憶部１５１にそれぞれ記憶されていることになる。
【００３６】
第１の補間フィールド生成部１５０は、ステップＳ１０８の処理で消去したトップフィールド情報のトップフィールドの前後のトップフィールドのフィールド情報に基づいて、補間フィールドを生成する（ステップＳ１１０）。
【００３７】
補間フィールドとは、本例では、時間軸において、一方のフィールドと他方のフィールドとの間に、当該２つのフィールドに基づいて生成されたフィールドをいう。図４は、補間フィールドの生成の例を示す説明図である。図４に示す例では、トップフィールド４ｔとトップフィールド６ｔとに基づいて、補間フィールド５ｔ’が生成されている。
【００３８】
補間フィールドの生成方法について説明する。図５は、補間フィールドの構成例を示す説明図である。本例の第１の補間フィールド生成部１５０は、トップフィールド４ｔの成分とトップフィールド６ｔの成分との平均値によって、補間フィールド５ｔ’を生成する。具体的には、第１の補間フィールド生成部１５０は、トップフィールド４ｔの１行目の成分であるｆ４１とトップフィールド６ｔの１行目の成分であるｆ６１との平均値を、（ｆ４１＋ｆ６１）／２によって算出する。そして、第１の補間フィールド生成部１５０は、（ｆ４１＋ｆ６１）／２の算出結果を補間フィールド５ｔ’の１行目の成分ｆ５ｔ’１とする。第１の補間フィールド生成部１５０は、同様に、トップフィールド４ｔの２〜ｎ行目の各成分ｆ４２〜ｆ４ｎと、トップフィールド６ｔの２〜ｎ行目の各成分ｆ６２〜ｆ６ｎとの平均値を算出する。そして、第１の補間フィールド生成部１５０は、算出した平均値を成分ｆ５ｔ’２〜ｆ５ｔ’ｎとする補間フィールド５ｔ’を生成する。
【００３９】
なお、各フィールドの成分とは、例えば、色差成分等の色に応じた値や、輝度値等であってもよいし、他の値であってもよい。また、各フィールドが複数の成分によって構成され、第１の補間フィールド生成部１５０は、補間フィールドを、一方のフィールドと他方のフィールドとにおける複数の成分の値のそれぞれの平均値によって、生成するように構成されていてもよい。
【００４０】
第１の補間フィールド生成部１５０は、ステップＳ１１０の処理で生成した補間フィールド（本例では、補間フィールド５ｔ’）を記憶部１５１に記憶させる。なお、第１の補間フィールド生成部１５０は、ステップＳ１１０の処理で生成した補間フィールド５ｔ’を、例えば、記憶部１５１においてトップフィールド４ｔが記憶されている領域に上書きして記憶させる。
【００４１】
そして、第１の補間フィールド生成部１５０は、ステップＳ１１０の処理で生成した補間フィールド（本例では、補間フィールド５ｔ’）を合成部１７０に入力し（ステップＳ１１１）、当該補間フィールド（本例では、補間フィールド５ｔ’）を記憶部１５１から消去する（ステップＳ１１２）。
【００４２】
第１の補間フィールド生成部１５０は、前述したステップＳ１０３の処理に移行する。
【００４３】
第２の補間フィールド生成部１６０は、第１の補完フィールド生成部１５０によるステップＳ１０１〜Ｓ１１３に相当する処理を行う。そして、第２の補間フィールド生成部１６０は、第１の補完フィールド生成部１５０によるステップＳ１１０に相当する処理で補間フィールドを生成し、ステップＳ１１１に相当する処理で、生成した補完フィールドを合成部１７０に入力する。
【００４４】
図６は、合成部１７０の動作を示すフローチャートである。図６に示すように、合成部１７０は、まず、第１のバッファ１３０からトップフィールド情報を読み出す（ステップＳ２０１）。合成部１７０は、ステップＳ２０１の処理で読み出したトップフィールド情報を記憶部１７１に記憶させる。そして、合成部１７０は、ステップＳ２０１の処理で読み出したトップフィールド情報のフラッシュフラグの値に１がセットされている場合に（ステップＳ２０２のＹ）、ステップＳ２０３の処理に移行し、そうでない場合に（ステップＳ２０２のＮ）、ステップＳ２０５の処理に移行する。
【００４５】
合成部１７０は、ステップＳ２０３の処理で、ステップＳ２０１の処理で読み出したトップフィールド情報を記憶部１７１から消去する（ステップＳ２０３）。そして、合成部１７０は、第１の補間フィールド生成部１５０がステップＳ１１１の処理で入力した補間フィールドを受け取って（ステップＳ２０４）、トップフィールド情報として記憶部１７１に記憶させ、ステップＳ２０５の処理に移行する。
【００４６】
合成部１７０は、ステップＳ２０５の処理で、第２のバッファ１４０からボトムフィールド情報を読み出す（ステップＳ２０５）。合成部１７０は、ステップＳ２０５の処理で読み出したボトムフィールド情報を記憶部１７１に記憶させる。そして、合成部１７０は、ステップＳ２０５の処理で読み出したボトムフィールド情報にセットされているフラッシュフラグの値に１がセットされている場合に（ステップＳ２０６のＹ）、ステップＳ２０７の処理に移行し、そうでない場合に（ステップＳ２０６のＮ）、ステップＳ２０９の処理に移行する。
【００４７】
合成部１７０は、ステップＳ２０７の処理で、ステップＳ２０５の処理で読み出したボトムフィールド情報を記憶部１７１から消去する（ステップＳ２０７）。そして、合成部１７０は、第２の補間フィールド生成部１６０がステップＳ１１１に相当する処理で入力した補間フィールドを受け取って（ステップＳ２０８）、ボトムフィールド情報として記憶部１７１に記憶させ、ステップＳ２０９の処理に移行する。
【００４８】
合成部１７０は、記憶部１７１に記憶されているトップフィールド情報およびボトムフィールド情報を、映像フレームの時間軸に応じた順序およびタイミングで、適宜出力する（ステップＳ２０９）。
【００４９】
なお、合成部１７０によるトップフィールド情報およびボトムフィールド情報の出力先は、例えば、映像出力装置５００の表示手段である。そして、合成部１７０は、映像出力装置５００に入力された非圧縮映像信号に応じたフィールド情報の全てについての処理が終了した場合に（ステップＳ２１０のＹ）、処理を終了し、そうでない場合に（ステップＳ２１０のＮ）、ステップＳ２０１の処理に移行する。
【００５０】
ステップＳ２０１〜Ｓ２０８の処理が繰り返されることにより、合成部１７０の記憶部１７１には、トップフィールド情報とボトムフィールド情報とが交互に記憶される。そして、ステップＳ２０９の処理で、記憶部１７１に記憶されたトップフィールド情報とボトムフィールド情報とが適宜出力される。
【００５１】
本実施形態によれば、第１の補間フィールド生成部１５０、および第２の補間フィールド生成部１６０が、閃光が写りこんだフィールドの前後のフィールドに基づいて、当該前後のフィールドの間の補間フィールドを生成する。
【００５２】
そして、合成部１７０が、当該閃光が写りこんだフィールドに代えて、生成された補間フィールドを適宜出力する。
【００５３】
したがって、映像出力装置５００が出力する映像において閃光の映り込み等による輝度の急激な変化を良好に抑制することができる。
【００５４】
また、映像処理装置１００は、動きベクトルのような複雑かつ多大な計算処理を必要とすることなく、そのような効果を奏することができる。したがって、そのような効果を奏するために、映像処理装置１００に高性能なプロセッサを搭載する必要がない。よって、そのような効果を奏する映像処理装置１００を低コストで実現することができる。
【００５５】
なお、本実施形態では、閃光が写りこんだ場合を例に、補間フィールドを生成する契機について説明しているが、補間フィールドの生成は閃光が写りこんだ場合に限られず、他の理由によってフィールドの輝度が大きく変化した場合に、補間フィールドが生成されてもよい。
【００５６】
実施形態２．
次に、本発明の第２の実施形態の映像処理装置１０について、図面を参照して説明する。図７は、本発明の第２の実施形態の映像処理装置１０の構成例を示すブロック図である。図７に示すように、本発明の第２の実施形態の映像処理装置１０は、フレーム分割部１１、補間フィールド生成部１５、および合成部１７を含む。
【００５７】
フレーム分割部１１は、図１に示す第１の実施形態におけるフレーム分割部１１０に相当する。補間フィールド生成部１５は、図１に示す第１の実施形態における第１の補間フィールド生成部１５０や、第２の補間フィールド生成部１６０に相当する。合成部１７は、図１に示す第１の実施形態における合成部１７０に相当する。
【００５８】
フレーム分割部１１は、映像フレームをフィールド単位に分割する。
【００５９】
補間フィールド生成部１５は、フレーム分割部１１によって分割された一のフィールドの輝度が、一のフィールドの直前の映像フレームのフィールドである直前のフィールドの輝度よりも所定の閾値以上大きな値であった場合に、一のフィールドの直前のフィールドおよび一のフィールドの直後の映像フレームのフィールドである直後のフィールドに基づいて、一のフィールドに代えて用いられる補間フィールドを生成する。
【００６０】
合成部１７は、直前のフィールドと、補間フィールド生成部１５が生成した補間フィールドと、直後のフィールドとを出力する。
【００６１】
本実施形態によれば、簡易な処理で、出力映像における輝度の急激な変化を抑制することができる。
【符号の説明】
【００６２】
１０、１００    映像処理装置
１１、１１０    フレーム分割部
１５    補間フィールド生成部
１７、１７０    合成部
１２０    フラッシュ検出部
１３０    第１のバッファ
１４０    第２のバッファ
１５０    第１の補間フィールド生成部
１５１、１６１、１７１    記憶部
１６０    第２の補間フィールド生成部
２００    受信部
３００    復号部
４００    送信部
５００    映像出力装置
６００    映像信号復号装置
【図１】
2016171519.tif 000003
【図２】
2016171519.tif 000004
【図３】
2016171519.tif 000005
【図４】
2016171519.tif 000006
【図５】
2016171519.tif 000007
【図６】
2016171519.tif 000008
【図７】
2016171519.tif 000009